(57)【要約】【課題】敷物の消臭機能を十分にかつ長期間に亘って発現する。【解決手段】敷物１は、ガスバリア層１０と、このガスバリア層１０上に形成されているとともに、吸着性を有する多孔性材料を含む吸着層１１ａと、この吸着層１１ａ上に形成され、フタロシアニン系金属錯体を含む糸状物からなり、通気性を有する基布層１１ｂとからなるバッキング層１１と、このバッキング層１１におけるガスバリア層１０とは反対側に設けられた表面繊維層１２とを備えている。【選択図】図１
2013202255.tif 000002
【特許請求の範囲】
【請求項１】
ガスバリア層と、
上記ガスバリア層上に形成されているともに、吸着性を有する多孔性材料を含む吸着層と、上記吸着層上に形成されているとともに、フタロシアニン系金属錯体を含む糸状物からなり、通気性を有する基布層とからなるバッキング層と、
上記バッキング層における上記ガスバリア層とは反対側に設けられた表面繊維層とを備えていることを特徴とする敷物。
【請求項２】
裏打ち層と、
上記裏打ち層上に形成され、ガスバリア性を有する接着層と、
上記接着層上に形成された補強層と、該補強層上に形成されているとともに、吸着性を有する多孔性材料を含む吸着層と、該吸着層上に形成されているとともに、フタロシアニン系金属錯体を含む糸状物からなり、通気性を有する基布層とからなるバッキング層と、
上記バッキング層における上記接着層とは反対側に設けられ、上記基布層と一体化された表面繊維層とを備えていることを特徴とする敷物。
【請求項３】
ガスバリア性を有するシート層と、
上記シート層上に形成された吸着層と、該吸着層上に形成されているとともに、フタロシアニン系金属錯体を含む糸状物からなり、通気性を有する基布層とからなるバッキング層と、
上記バッキング層における上記シート層とは反対側に設けられた表面繊維層とを備えていることを特徴とする敷物。
【請求項４】
剛性を有する板状体と、
上記板状体上に形成された請求項１〜３のいずれか１つに記載の敷物とを備えていることを特徴とする化粧材。
【請求項５】
裏打ち層と、
上記裏打ち層上に形成され、ガスバリア性を有する接着層と、
上記接着層上に形成されているとともに、吸着性を有する多孔性材料を含む吸着層と、上記吸着層上に形成されているとともに、フタロシアニン系金属錯体を含む糸状物からなり、通気性を有する基布層とを有するバッキング層と、
上記バッキング層における上記接着層とは反対側に設けられ、上記基布層と一体化された表面繊維層とを備えている敷物の製造方法であって、
上記バッキング層における上記表面繊維層とは反対側に接着剤を層状に塗布した後、
上記接着層上に上記裏打ち層を形成し、
その後、上記接着層がガスバリア層として機能するように、上記裏打ち層、該接着層及び上記バッキング層を一体化することを特徴とする敷物の製造方法。
【発明の詳細な説明】
【技術分野】
【０００１】
本発明は、消臭機能を有する敷物、この敷物を備えている化粧材、及びその敷物の製造方法に関するものである。
【背景技術】
【０００２】
消臭機能を有する、カーペットやマット等の敷物が従来技術として知られている。
【０００３】
特許文献１には、有色の金属フタロシアニン誘導体を持つ消臭繊維を含む基布に、無色又は淡色の金属イオンを持つ消臭繊維を含むパイルを織り込んでなる消臭カーペットが開示されている。この構成によれば、消臭機能を有するパイルが化粧面を構成しているため、消臭機能を十分に発現することができる。
【０００４】
特許文献２には、消臭繊維層で構成された表面層と、この表面層に一体に形成され、防水シートで構成された裏面層とからなるトイレ用消臭マットが開示されている。この構成によれば、防水シートがマット裏面側を構成しているため、マットを床面に敷いたときにおいて、床面が尿等の液体で汚染することを抑制することができる。
【先行技術文献】
【特許文献】
【０００５】
【特許文献１】特開平５−１９９９３１号公報
【特許文献２】実用新案登録３０６７７２７号公報
【発明の概要】
【発明が解決しようとする課題】
【０００６】
しかしながら、特許文献１のカーペットは、パイルがカーペット表面側を構成しているため汚染し易く、その消臭機能を長期間に亘って発現することが困難であるという課題がある。
【０００７】
また、特許文献２のマットは、防水シートがマット裏面側を構成しているため、マット内部において気体が拡散し難くなり、マット表面側を構成する消臭繊維層のごく表面部分しか消臭機能を発現することができず、それ故に、消臭機能を十分に発現することができないという問題がある。
【０００８】
本発明は、かかる点に鑑みてなされたものであり、その課題とするところは、敷物の消臭機能を十分にかつ長期間に亘って発現することにある。
【課題を解決するための手段】
【０００９】
上記の課題を解決するため、本発明は、敷物の表面側に表面繊維層を、その裏面側にガスバリア性を有する層を設け、これらの層の間に、吸着層と基布層とで構成したバッキング層を設け、そして、吸着層を、多孔性材料を含むものとし、基布層を、フタロシアニン系金属錯体を含む糸状物からなり、通気性を有するものとしたことを特徴とする。
【００１０】
具体的には、第１の発明は、ガスバリア層と、上記ガスバリア層上に形成されているともに、吸着性を有する多孔性材料を含む吸着層と、上記吸着層上に形成されているとともに、フタロシアニン系金属錯体を含む糸状物からなり、通気性を有する基布層とからなるバッキング層と、上記バッキング層における上記ガスバリア層とは反対側に設けられた表面繊維層とを備えていることを特徴とする敷物である。
【００１１】
これによれば、バッキング層を、吸着性を有する多孔性材料を含む吸着層と、この吸着層上に形成され、通気性を有する基布層とで構成しているため、基布層を通ってきた気体（水蒸気及びガスを含む）を吸着層により吸着することができる。また、吸着層上に基布層を形成しているため、蒸気圧変化に伴って基布層内の気体を拡散させることができるとともに、この拡散に伴って吸着層から脱着された気体及び室内側から表面繊維層を通って基布層内に流入してきた気体を基布層に効率良く供給することができる。さらに、基布層を、フタロシアニン系金属錯体を含む糸状物で構成しているため、吸着層から供給された気体の中の悪臭物質を、酸化還元能を有するフタロシアニン系金属錯体により分解して無臭物に変えることができる。
【００１２】
また、表面繊維層とガスバリア層との間にバッキング層を設けているため、敷物表面側からの著しい汚染によりバッキング層が汚染することを抑制することができ、それ故に、バッキング層の消臭機能を長期間に亘って発現することができる。
【００１３】
さらに、敷物の裏面側にガスバリア層を設けているため、敷物を床面に敷いたときにおいて、床面（床下地材及び床材等）から放出される多量のホルムアルデヒドや湿気等が敷物裏面側の層を透過して吸着層により吸着されることを抑制することができ、それ故に、吸着層の吸着機能が短期間で損なわれることを抑制することができ、バッキング層の消臭機能をより長期間に亘って発現することができる。
【００１４】
以上により、敷物の消臭機能を十分にかつ長期間に亘って発現することができる。
【００１５】
第２の発明は、裏打ち層と、上記裏打ち層上に形成され、ガスバリア性を有する接着層と、上記接着層上に形成された補強層と、該補強層上に形成されているとともに、吸着性を有する多孔性材料を含む吸着層と、該吸着層上に形成されているとともに、フタロシアニン系金属錯体を含む糸状物からなり、通気性を有する基布層とからなるバッキング層と、上記バッキング層における上記接着層とは反対側に設けられ、上記基布層と一体化された表面繊維層とを備えていることを特徴とする敷物である。
【００１６】
これによれば、バッキング層を、接着層上に形成された補強層と、この補強層上に形成されているとともに、吸着性を有する多孔性材料を含む吸着層と、この吸着層上に形成され、通気性を有する基布層とで構成しているため、基布層を通ってきた気体を吸着層により吸着することができる。また、吸着層上に基布層を形成しているため、蒸気圧変化に伴って基布層内の気体を拡散させることができるとともに、この拡散に伴って吸着層から脱着された気体及び室内側から表面繊維層を通って基布層内に流入してきた気体を基布層に効率良く供給することができる。さらに、基布層を、フタロシアニン系金属錯体を含む糸状物で構成しているため、吸着層から供給された気体の中の悪臭物質を、酸化還元能を有するフタロシアニン系金属錯体により分解して無臭物に変えることができる。
【００１７】
また、表面繊維層とガスバリア性を有する接着層との間にバッキング層を設けているため、敷物表面側からの著しい汚染によりバッキング層が汚染することを抑制することができ、それ故に、バッキング層の消臭機能を長期間に亘って発現することができる。
【００１８】
さらに、敷物の裏面側にガスバリア性を有する接着層を設けているため、敷物を床面に敷いたときにおいて、床面から放出される多量のホルムアルデヒドや湿気等が敷物裏面側の層を透過して吸着層により吸着されることを抑制することができ、それ故に、吸着層の吸着機能が短期間で損なわれることを抑制することができ、バッキング層の消臭機能をより長期間に亘って発現することができる。
【００１９】
以上により、敷物の消臭機能を十分にかつ長期間に亘って発現することができる。
【００２０】
第３の発明は、ガスバリア性を有するシート層と、上記シート層上に形成された吸着層と、該吸着層上に形成されているとともに、フタロシアニン系金属錯体を含む糸状物からなり、通気性を有する基布層とからなるバッキング層と、上記バッキング層における上記シート層とは反対側に設けられた表面繊維層とを備えていることを特徴とするものである。
【００２１】
これによれば、バッキング層を、吸着性を有する多孔性材料を含む吸着層と、この吸着層上に形成され、通気性を有する基布層とで構成しているため、基布層を通ってきた気体を吸着層により吸着することができる。また、吸着層上に基布層を形成しているため、蒸気圧変化に伴って基布層内の気体を拡散させることができるとともに、この拡散に伴って吸着層から脱着された気体及び室内側から表面繊維層を通って基布層内に流入してきた気体を基布層に効率良く供給することができる。さらに、基布層を、フタロシアニン系金属錯体を含む糸状物で構成しているため、吸着層から供給された気体の中の悪臭物質を、酸化還元能を有するフタロシアニン系金属錯体により分解して無臭物に変えることができる。
【００２２】
また、表面繊維層とガスバリア性を有するシート層との間にバッキング層を設けているため、敷物表面側からの著しい汚染によりバッキング層が汚染することを抑制することができ、それ故に、バッキング層の消臭機能を長期間に亘って発現することができる。
【００２３】
さらに、敷物の裏面側にガスバリア性を有するシート層を設けているため、敷物を床面に敷いたときにおいて、床面から放出される多量のホルムアルデヒドや湿気等が敷物裏面側の層を透過して吸着層により吸着されることを抑制することができ、それ故に、吸着層の吸着機能が短期間で損なわれることを抑制することができ、バッキング層の消臭機能をより長期間に亘って発現することができる。
【００２４】
以上により、敷物の消臭機能を十分にかつ長期間に亘って発現することができる。
【００２５】
第４の発明は、剛性を有する板状体と、上記板状体上に形成された上記第１〜第３のいずれか１つの発明の敷物とを備えていることを特徴とする化粧材である。
【００２６】
これによれば、上記第１〜第３のいずれか１つの発明と同様の作用効果が得られる。
また、化粧材を、剛性を有する板状体と、この板状体上に形成された敷物とで構成しているため、この化粧材を床材としてだけではなく、壁材や天井材等、その他様々な用途に用いることができる。
【００２７】
第５の発明は、裏打ち層と、上記裏打ち層上に形成され、ガスバリア性を有する接着層と、上記接着層上に形成されているとともに、吸着性を有する多孔性材料を含む吸着層と、上記吸着層上に形成されているとともに、フタロシアニン系金属錯体を含む糸状物からなり、通気性を有する基布層とを有するバッキング層と、上記バッキング層における上記接着層とは反対側に設けられ、上記基布層と一体化された表面繊維層とを備えている敷物の製造方法であって、上記バッキング層における上記表面繊維層とは反対側に接着剤を層状に塗布した後、上記接着層上に上記裏打ち層を形成し、その後、上記接着層がガスバリア層として機能するように、上記裏打ち層、該接着層及び上記バッキング層を一体化することを特徴とするものである。
【００２８】
これによれば、上記第２の発明と同様の作用効果が得られる。
【００２９】
また、接着層がガスバリア層として機能するように、裏打ち層、接着層及びバッキング層を一体化するため、確実に、接着層をガスバリア層として機能させることができる。
【発明の効果】
【００３０】
本発明によれば、バッキング層を、吸着性を有する多孔性材料を含む吸着層と、この吸着層上に形成され、通気性を有する基布層とで構成しているため、基布層を通ってきた気体を吸着層により吸着することができ、また、吸着層上に基布層を形成しているため、蒸気圧変化に伴って基布層内の気体を拡散させることができるとともに、この拡散に伴って吸着層から脱着された気体及び室内側から表面繊維層を通って基布層内に流入してきた気体を基布層に効率良く供給することができ、さらに、基布層を、フタロシアニン系金属錯体を含む糸状物で構成しているため、吸着層から供給された気体の中の悪臭物質をフタロシアニン系金属錯体により分解して無臭物に変えることができ、また、表面繊維層とガスバリア性を有する層との間にバッキング層を設けているため、バッキング層の消臭機能を長期間に亘って発現することができ、さらに、敷物の裏面側にガスバリア性を有する層を設けているため、バッキング層の消臭機能を長期間に亘って発現することができ、以上により、敷物の消臭機能を十分にかつ長期間に亘って発現することができる。
【図面の簡単な説明】
【００３１】
【図１】本発明の実施形態１に係る敷物の断面図である。
【図２】実施形態２に係る敷物の断面図である。
【図３】実施形態３に係る化粧材の断面図である。
【発明を実施するための形態】
【００３２】
以下、本発明の実施形態を図面に基づいて詳細に説明する。尚、本発明は、後述の実施形態に限定されず、その精神又は主要な特徴から逸脱することなく他の色々な形で実施することができる。このように、後述の実施形態はあらゆる点で単なる例示に過ぎず、限定的に解釈してはならない。本発明の範囲は特許請求の範囲によって示すものであって、明細書には何ら拘束されない。さらに、特許請求の範囲の均等範囲に属する変形や変更は、全て本発明の範囲内のものである。
【００３３】
（実施形態１）
本発明の実施形態１に係る敷物（例えば、カーペットやマット）１は、図１に示すように、ガスバリア層１０と機能性バッキング層（以下、単に「バッキング層」という）１１と表面繊維層１２とをこの順に積層一体化してなるものである。
【００３４】
上記ガスバリア層１０は、ガスバリア性を有する裏面層である。ガスバリア性とは、ガス（例えば、ホルムアルデヒドやアセトアルデヒド、酢酸等）を透過させない性質、本実施形態では、少なくともホルムアルデヒドを透過させない性質をいい、ガスバリア性を有するものとしては、例えば、ポリビニル系樹脂やポリオレフィン系樹脂、ポリアミド系樹脂、合成樹脂系樹脂、アクリル系樹脂、ナイロン系樹脂、ポリウレタン系樹脂等を層状にした、一定の厚さを有するものが用いられる。ガスバリア層１０としては、本実施形態では、ホットメルト系樹脂をバッキング層１１の裏面側全面に所定の厚さ、層状に塗布したものや、水系でかつ合成樹脂系の接着剤をバッキング層１１の裏面側全面に所定の厚さ塗布した後にその水分を飛ばした、所定の厚さを有するもの、ポリオレフィン系樹脂やポリエチレンテレフタレート等を予めシート状にしたシート層等が用いられる。ガスバリア層１０は、０．２〜０．５ｍｍ程度以上の厚さを有すれば、ガスバリア性を十分に発現することができる。尚、生産効率の観点からは、上述の如く、バッキング層１１の裏面側にホットメルト系樹脂層を直接形成することが望ましい。
【００３５】
上記バッキング層１１は、ガスバリア層１０上に形成されているとともに、吸着性を有する多孔性材料を含む吸着層１１ａと、この吸着層１１ａ上に形成されているとともに、フタロシアニン系金属錯体を含む糸状物からなり、通気性（ガス透過性）を有する機能性通気基布層（以下、単に「基布層」という）１１ｂとからなる。
【００３６】
上記吸着層１１ａとしては、例えば、シリカゲルや活性炭、ゼオライト、金属多孔質セラミック、白土等に代表される、蒸気圧変化に伴って湿気を含む気体を吸着・脱着することが可能な多孔性材料と、ポリ塩化ビニル系樹脂やポリオレフィン系樹脂等とを混練して、これを板状に成形したものが好適に用いられる。吸着層１１ａとしては、本実施形態では、シリカゲルや活性炭等の多孔性材料と加熱可塑化したポリエチレンとを混練して、これをカレンダー法（加熱ロール圧延法）でシート状に成形したものが用いられ、多孔性材料と樹脂との混合割合は、多孔性材料１００重量％に対して、樹脂５０〜２００重量％である。尚、その混合割合は、後述する補強層１１ｃの有無や所望の強度等に基づいて適宜変更しても良い。
【００３７】
上記基布層１１ｂとしては、例えば、特開平５−１９９９３１号公報に記載されたフタロシアニン系金属錯体を練り込んだ樹脂を糸状にした糸状物からなる不織布又は織布や、表面に特開平９−５９２７９号公報に記載された抗菌剤を固着した糸状物からなる不織布又は織布が好適に用いられる。
【００３８】
上記表面繊維層１２は、基布層１１ｂ上に形成された層、言い換えると、バッキング層１１の表面側（ガスバリア層１０とは反対側）に設けられた層である。表面繊維層１２としては、例えば、一般のカーペットに用いられるニードルパンチ法やタフテッド法等で成形して、全面が基布層１１ｂと一体化したものや、畳表や竹ラグ、藤ラグ等の、周縁部の一部のみが基布層１１ｂと一体化したものが用いられる。
【００３９】
−効果−
以上より、本実施形態によれば、バッキング層１１を、吸着性を有する多孔性材料を含む吸着層１１ａと、この吸着層１１ａ上に形成され、通気性を有する基布層１１ｂとで構成しているため、基布層１１ｂを通ってきた気体を吸着層１１ａにより吸着することができる。また、吸着層１１ａ上に基布層１１ｂを形成しているため、蒸気圧変化に伴って基布層１１ｂ内の気体を拡散させることができるとともに、この拡散に伴って吸着層１１ａから脱着された気体及び室内側から表面繊維層１２を通って基布層１１ｂ内に流入してきた気体を基布層１１ｂに効率良く供給することができる。さらに、基布層１１ｂを、フタロシアニン系金属錯体を含む糸状物で構成しているため、吸着層１１ａから供給された気体の中の悪臭物質を、酸化還元能を有するフタロシアニン系金属錯体により分解して無臭物に変えることができる。
【００４０】
また、表面繊維層１２とガスバリア層１０との間にバッキング層１１を設けているため、敷物１表面側からの著しい汚染（例えば、油汚れや泥汚れ）によりバッキング層１１が汚染することを抑制することができ、それ故に、バッキング層１１の消臭機能を長期間に亘って発現することができる。
【００４１】
さらに、敷物１の裏面側にガスバリア層１０を設けているため、敷物１を床面に敷いたときにおいて、床面から放出される多量のホルムアルデヒドや湿気等が敷物１裏面側の層を透過して吸着層１１ａにより吸着されることを抑制することができ、それ故に、吸着層１１ａの吸着機能が短期間で損なわれることを抑制することができ、バッキング層１１の消臭機能をより長期間に亘って発現することができる。
【００４２】
以上により、敷物１の消臭機能を十分にかつ長期間に亘って発現することができる。
【００４３】
また、基布層１１ｂをフタロシアニン系金属錯体を含む糸状物で構成しているため、フタロシアニン系金属錯体により消臭機能に加えて、抗菌効果を発現することができる。
【００４４】
（実施形態２）
本実施形態は、バッキング層１１が補強層１１ｃと吸着層１１ａと基布層１１ｂとからなること、このバッキング層１１の裏面側に裏面層としての裏打ち層１３がガスバリア層としての接着層１４を介して設けられていることが実施形態１と異なっているが、その他の点については、実施形態１と同様の構成である。そこで、以下の説明では、実施形態１の構成要素と同様の構成要素については、同一の符号を用いて説明を行う。
【００４５】
本実施形態に係る敷物１は、図２に示すように、裏打ち層１３と接着層１４とバッキング層１１と表面繊維層１２とをこの順に積層一体化してなるものである。
【００４６】
上記裏打ち層１３としては、例えば、不織布やウレタン発泡体、ポリエチレン発泡体等のクッション材が用いられる。
【００４７】
上記接着層１４は、裏打ち層１３上に形成された層である。接着層１４としては、本実施形態では、ホットメルト系樹脂をバッキング層１１の裏面側全面に所定の厚さ、層状に塗布したものが用いられる。
【００４８】
上記バッキング層１１は、接着層１４上に形成された補強層１１ｃと、この補強層１１ｃ上に形成された吸着層１１ａと、この吸着層１１ａ上に形成された基布層１１ｂとからなる。
【００４９】
上記補強層１１ｃは、敷物１を補強するために設けられた層である。補強層１１ｃとしては、例えば、可撓性樹脂を層状にした、厚さ１〜４ｍｍを有するものが用いられる。この可撓性樹脂としては、例えば、ポリビニル系樹脂やポリオレフィン系樹脂、ポリアミド系樹脂、合成樹脂系樹脂、アクリル系樹脂、ナイロン系樹脂、ポリウレタン系樹脂、又は、これらの樹脂を混合してなる廃プラスチック等の可撓性を適度に有するものが用いられる。また、補強層１１ｃに添加剤を添加することにより、ガスバリア性を発現させても良いし、必要に応じて、炭酸カルシウムや硫酸バリウム等の増量剤を添加しても良い。但し、増量剤を添加すると、ガスバリア性を発現しない。さらに、補強層１１ｃは、吸着層１１ａと一体押出成形されても良いし、吸着層１１ａとは別に成形されても良い。後者の場合、補強層１１ｃは、吸着層１１ａと接着剤等で一体化される。
【００５０】
上記表面繊維層１２は、バッキング層１１の表面側（接着層１４とは反対側）に設けられた層である。表面繊維層１２としては、本実施形態では、ニードルパンチ法やタフテッド法等で成形して、全面が基布層１１ｂと一体化したものや、畳表や竹ラグ、藤ラグ等の、周縁部の一部のみが基布層１１ｂと一体化したものが用いられる。
【００５１】
以下、本実施形態に係る敷物１の製造方法を説明する。
【００５２】
まず、補強層１１ｃと、吸着層１１ａと、表面繊維層１２と一体化した基布層１１ｂとを積層一体化して、バッキング層１１を成形する。次に、バッキング層１１の裏面側（表面繊維層１２とは反対側）全面に接着剤を層状に塗布して、接着層１４を成形する。続いて、接着層１４上に裏打ち層１３を載置形成する。その後、接着層１４がガスバリア層として機能するように（例えば、接着剤としてオレフィン系ホットメルト樹脂を用い、これを０．５ｍｍ程度の厚さになるように均一に塗布して、僅かな間、冷却した後に、裏打ち層１３を載置形成する）、裏打ち層１３、接着層１４及びバッキング層１１を一体化する。以上のようにして、敷物１が完成する。
【００５３】
−効果−
以上により、本実施形態によれば、バッキング層１１を、接着層１４上に形成された補強層１１ｃと、この補強層１１ｃ上に形成されているとともに、吸着性を有する多孔性材料を含む吸着層１１ａと、この吸着層１１ａ上に形成され、通気性を有する基布層１１ｂとで構成しているため、基布層１１ｂを通ってきた気体を吸着層１１ａにより吸着することができる。また、吸着層１１ａ上に基布層１１ｂを形成しているため、蒸気圧変化に伴って基布層１１ｂ内の気体を拡散させることができるとともに、この拡散に伴って吸着層１１ａから脱着された気体及び室内側から表面繊維層１２を通って基布層１１ｂ内に流入してきた気体を基布層１１ｂに効率良く供給することができる。さらに、基布層１１ｂを、フタロシアニン系金属錯体を含む糸状物で構成しているため、吸着層１１ａから供給された気体の中の悪臭物質を、酸化還元能を有するフタロシアニン系金属錯体により分解して無臭物に変えることができる。
【００５４】
また、表面繊維層１２と接着層１４との間にバッキング層１１を設けているため、敷物１表面側からの著しい汚染によりバッキング層１１が汚染することを抑制することができ、それ故に、バッキング層１１の消臭機能を長期間に亘って発現することができる。
【００５５】
さらに、敷物１の裏面側にガスバリア性を有する接着層１４を設けているため、敷物１を床面に敷いたときにおいて、床面から放出されるホルムアルデヒドや湿気等が敷物１裏面側の層を透過して吸着層１１ａにより吸着されることを抑制することができ、それ故に、吸着層１１ａの吸着機能が短期間で損なわれることを抑制することができ、バッキング層１１の消臭機能をより長期間に亘って発現することができる。
【００５６】
以上により、敷物１の消臭機能を十分にかつ長期間に亘って発現することができる。
【００５７】
また、接着層１４がガスバリア層として機能するように、裏打ち層１３、接着層１４及びバッキング層１１を一体化するため、確実に、接着層１４をガスバリア層として機能させることができる。
【００５８】
尚、本実施形態では、接着層１４として、ホットメルト系樹脂をバッキング層１１の裏面側に層状に塗布したものを用いたが、これに限らず、例えば、水系でかつ合成樹脂系の接着剤をバッキング層１１の裏面側に塗布した後にその水分を飛ばしたものを用いても良い。
【００５９】
また、本実施形態では、補強層１１ｃを設けたが、設けなくても良い。
【００６０】
（実施形態３）
本実施形態は、実施形態１に係る敷物１を板状体２上に形成してなる床材としての化粧材３に係るものである。以下の説明では、実施形態１の構成要素と同様の構成要素については、同一の符号を用いて説明を行う。
【００６１】
本実施形態に係る化粧材３は、図３に示すように、板状体２と敷物１とをこの順に積層一体化してなるものである。
【００６２】
上記板状体２は、剛性を有する、厚さ１〜１５ｍｍを有するものである。板状体２としては、例えば、合板や集成材、インシュレーションボード、ＭＤＦ、ハードボード等に代表される木質材料を板状にしたものや、プラスチック板状体、無機板状体、金属板状体が用いられる。
【００６３】
−効果−
以上により、本実施形態によれば、実施形態１と同様の効果が得られる。
【００６４】
また、化粧材３を、剛性を有する板状体２と、この板状体２上に一体に形成された敷物１とで構成しているため、この化粧材３を本実施形態のように床材としてだけではなく、壁材や天井材等、その他様々な用途に用いることができる。これらの場合、例えば、化粧材３の木口端面に実加工をなすことで、化粧材３の施工をその実接合により効率良く行うことができるようにしても良い。
【００６５】
尚、本実施形態では、敷物として、実施形態１に係る敷物１を用いたが、これに限らず、例えば、実施形態２に係る敷物１を用いても良い。
【産業上の利用可能性】
【００６６】
以上説明したように、本発明に係る敷物、化粧材及び敷物の製造方法は、敷物の消臭機能を十分にかつ長期間に亘って発現することが必要な用途などに適用することができる。
【符号の説明】
【００６７】
１      敷物
１０    ガスバリア層（シート層）
１１    バッキング層
１１ａ  吸着層
１１ｂ  基布層
１１ｃ  補強層
１２    表面繊維層
１３    裏打ち層
１４    接着層
２      板状体
３      化粧材 
【図１】
2013202255.tif 000003
【図２】
2013202255.tif 000004
【図３】
2013202255.tif 000005